(57)【特許請求の範囲】
【請求項１】
上向きに立ち上がった円形の内壁面と、その内部の底面と、この底面の中心部分に立ち上がった中心軸状部と、この中心軸状部の周囲に所定間隔を隔てて立ち上がった小円輪状部とを有し、前後に移動可能なトレイと、前記内壁面近傍の下向きの大円輪状支持用リブと、中心部に開設され前記トレイの中心軸状部が入り込む中心貫通穴部と、この中心貫通穴部の周縁から下向きに延設し前記トレイの中心軸状部と小円輪状部との間に入り込む下向きの小円輪状リブとを有する複数のディスクを載置可能なディスクテーブルとを備え、前記ディスクテーブルの大円輪状支持用リブと前記小円輪状リブとを前記トレイの底面近傍まで位置させて、前記トレイ上に前記ディスクテーブルを回転可能に支持し、前記ディスクテーブルの周縁近傍の前記大円輪状支持用リブに設けられた内向きギヤ歯部に、駆動モータの駆動で回転駆動機構を介して回転し、他方側に移動することでターンテーブルを上下移動するディスク再生機構を駆動するためのカム体の一端のギヤ部と噛み合うアイドラ歯車のギヤ歯部が一方側に移動したときに噛み合うように構成したトレイ上のディスクテーブルの回転支持構造において、前記ディスクテーブルと装置本体の上壁との間に、ディスクテーブルを下向きに押すためのスプリングが、装置本体の上壁の下面に取り付けられた状態で配設されており、この状態で、前記ディスクテーブルの周縁近傍の前記大円輪状支持用リブだけが滑性部材を介して前記トレイの底面上に回転可能に支持されていて、小円輪状リブは常に底面から浮いた状態となり、前記駆動モータの駆動で前記回転駆動機構を介して前記アイドラ歯車の回転によって前記ディスクテーブルが前記トレイの底面上の滑性部材に前記大円輪状支持用リブだけが受けられた状態で周方向に回動されるように構成されていることを特徴とするトレイ上のディスクテーブルの回転支持構造。
【請求項２】
上向きに立ち上がった内壁面と、その内部の底面と、この底面の中心部分に立ち上がった中心軸状部と、この中心軸状部の周囲に所定間隔を隔てて立ち上がった小円輪状リブとを有するトレイと、前記内壁面近傍の下向きの大円輪状支持用リブと、中心部に開設され前記トレイの中心軸状部が入り込む中心貫通穴部と、この中心貫通穴部の周縁から下向きに延設した下向きの小円輪状リブとを有するディスクテーブルとを備え、前記ディスクテーブルの大円輪状支持用リブと前記小円輪状リブとを前記トレイの底面近傍まで位置させて、前記トレイ上に前記ディスクテーブルを回転可能に支持するように構成したトレイ上のディスクテーブルの回転支持構造において、前記ディスクテーブルと装置本体の上壁との間に、ディスクテーブルを下向きに押すためのスプリングが、装置本体の上壁の下面に取り付けられた状態で配設されており、この状態で、前記ディスクテーブルの周縁近傍の前記大円輪状支持用リブだけが滑性部材を介して前記トレイの底面上に回転可能に支持されていて、この大円輪状支持用リブだけが前記トレイの底面の前記滑性部材に受けられた状態で前記ディスクトレイが回転されるように構成されていることを特徴とするトレイ上のディスクテーブルの回転支持構造。
【発明の詳細な説明】
【０００１】
【発明の属する技術分野】
本発明は、トレイ上のディスクテーブルの回転支持構造に関する。
【０００２】
【従来の技術】
従来のトレイ上のディスクテーブルの回転支持構造は、例えば、図３に示すように、上向きに立ち上がった内壁面１ａと、その内部の底面１ｂと、この底面１ｂの中心部分に立ち上がった中心軸状部１ｃと、この中心軸状部１ｃの周囲に所定間隔を隔てて立ち上がった小円輪状部リブ１ｄとを有するトレイ１と、トレイ１の内壁面１ａの近傍の下向きの大円輪状支持用リブ２ａと、中心部に開設されトレイ１の中心軸状部１ｃが入り込む中心貫通穴部２ｂと、この中心貫通穴部２ｂの周縁から下向きに延設しトレイ１の中心軸状部１ｃと小円輪状部１ｄとの間に入り込む下向きの小円輪状リブ２ｃとを有するディスクテーブル２とを備え、ディスクテーブル２の大円輪状支持用リブ２ａと前記小円輪状リブ２ｃとをトレイ１の底面１ｂ上に配設された滑性部材７を介してディスクテーブル２を回転可能に支持するように構成している。
ところが、トレイ１等の部品のバラツキにより受ける状態が中央側と外周側とで変化してしまって回転状態にバラツキが発生してしまうことがあるという問題があった。
【０００３】
第１の従来技術を図４、図５、図６、図７に示す。筐体（図示略）に対して水平方向にスライドして出入するように構成されているスライドテーブル１０３と、スライドテーブル１０３に搭載され、複数枚のディスクを平面上に並べて収納することができる複数個のディスク収納部１０４Ａを設けた回転ディスクトレイ１０４と、回転ディスクトレイ１０４を回転し、所定位置で停止させることができる回転モータ１０５を有する駆動装置と、筐体１０１内に格納され、回転ディスクトレイ１０４の再生位置にあるディスクの記録信号を再生することができるディスク再生ブロック１０７と、スライドテーブル１０３及びディスク再生ブロック１０７をローディング位置に設定するローディング装置１０９とを備え、回転ディスクトレイ１０４の再生位置の上方には、スライドテーブル１０３に一端が保持されているチャッキングヘッド１０６が設けられているものである。（例えば、特許文献１参照）。
ところが、これは、図５に示すように、回転ディスクトレイ１０４を外側に設けた回転モータ１０５で回転させるものであった。
【０００４】
第２の従来技術を図７、図８、図９（ａ）（ｂ）に示す。ディスク再生装置２０１のフロントパネル２０２から前後に移動してディスクを収納、排出するトレイ２０３と、トレイ２０３に回転自在に取り付けたターンテーブル２０５と、ターンテーブル２０５上にターンテーブル２０５の回転軸の廻りに形成した複数のディスク保持部２０７と、ターンテーブル２０５の裏面にターンテーブル２０５の回転軸と同心円状に設けた円環状リブ２２９と、円環状リブ２２９に設けた切り欠き部と、切り欠き部を検出する検出手段（図示略）と、ディスク保持部２０７に保持したディスク２０４をディスク再生手段（図示略）に回転移動させるターンテーブル２０５の駆動手段と、駆動手段を制御する制御手段を具備し、切り欠き部は複数のディスク保持部２０７をディスク再生手段の再生位置で停止させる複数の位置決め用切り欠き２３０と、位置決め用切り欠き２３０の両側に一対で対称に設け複数のディスク保持部２０７に付与された番号に対応する複数の番号検出用の切り欠き２３１を具備するものである。そして、ターンテーブル２０５は、装置本体が再生可能な状態になると、ディスク保持部の番号を読み取るために、ターンテーブル２０５を回転させ、円環状リブ２２９を挟むように対向させたフォトカプラ２１２によって、まず両隣りのディスク保持部２０７に対応する切り欠き部までの長さＬ３を検出する。その後、円環状リブ２２９の番号検出用の切り欠き２３１の数をカウントしてディスク保持部２０７の位置を認識し、目的とするディスク保持部を早くアクセスできる回転方向に回転させ、ディスク保持部番号に対応する番号検出用の切り欠き２３１をカウントするまで回転する。そして、目的とするディスク保持部２０７の番号に対応する番号検出用の切り欠き２３１をカウントした後、位置決め用切り欠き２３０の左右にある番号検出用切り欠きまでの長さＬ１を検出し、次に位置決め用切り欠き２３０を検出して停止する。この位置決め用切り欠き２３０で停止すると、目的とするディスク保持部２０７に保持したディスク２０４は、再生手段であるディスク用ターンテーブル２１０に正しく載置できるように位置するようにしている。（例えば、特許文献２参照）。
ところが、これは、切り欠き２３１と位置決め用切り欠き２３０を設けなくてはならないものであった。
【０００５】
第３の従来技術を図１０（ａ）（ｂ）に示す。ディスク３１７が載置可能で、ディスク３１７を筐体３０７から突出させるディスク着脱位置とディスク３１７を筐体３０７内に収納するディスク収納位置との間を前後方向に移動自在なトレイベース３０１の左右に摺動面３０１ｅとそれに並ぶ爪部３０１ｄを設けて、固定部である左右のガイドのひさし部３０４ｃにトレイベース３０１の爪部３０１ｄを挿入するよう構成し、トレイベース３０１がディスク着脱位置時には、トレイベース３０１の摺動面３０１ｅとガイドのひさし部３０４ｅが系合し、またトレイベース３０１の爪部３０１しが外観から見えないようになっていると共に、トレイベース３０１がディスク収納位置時にも、トレイベース３０１の摺動面３０１ｅとガイドのひさし部３０４ｅが系合するようになっているものである。（例えば、特許文献３参照）。
トレイベース３０１の左右に摺動面３０１ｅとそれに並ぶ爪部３０１ｄを設け、固定部である左右のガイドのひさし部３０４ｃとを設けなくてはならず、その構造が複雑なものであった。
【０００６】
第４の従来技術を図１１、図１２（ａ）（ｂ）、図１３（ａ）（ｂ）（ｃ）（ｄ）に示す。筐体４２６内に設けられた駆動機構により筐体４２６の外への押し出しあるいは収納するトレイ台４０４の上部に、トレイ台４０４に設けたギアを介してトレイ台４０４の動きと連動するトレイ基台４０１とを設け、トレイ基台４０１上には回転軸４０７を設け、３枚のディスクが載置されるディスク受部を均等に配置形成した回転トレイ４０２を具備し、回転トレイ４０２に載置されたディスクを順次再生演奏する演奏装置とを設け、さらに自ら回転することでトレイ台４０４が収納したとき押し出し方向に動かないように規制するロックギア（図示略）と、ロックギアと連動し自ら回転することでトレイ基台４０１を押し出し方向あるいは収納方向への動きを規制するトレイロックレバー４０８をトレイ台に設けたものである。（例えば、特許文献４参照）。
ところが、これは、各図に示すように、構造が複雑で部品点数が非常に多いものであった。
【０００７】
【特許文献１】
特公平６−７５３３１号公報
【特許文献２】
特公平７−１２２９５１号公報
【特許文献３】
特許第３１１８９５２号公報
【特許文献４】
特許第３２６４０２１号公報
【０００８】
【発明が解決しようとする課題】
本発明は、トレイ上のディスクテーブルの回転スピードのバラツキをなくして一定に保つことができ、部品のバラツキによる品質のバラツキを防止できて、品質の安定化を図ることができることを課題とする。
【０００９】
【課題を解決するための手段】
本発明は、上記課題を解決するために提案されたものであって、請求項１に記載の発明は、上向きに立ち上がった円形の内壁面と、その内部の底面と、この底面の中心部分に立ち上がった中心軸状部と、この中心軸状部の周囲に所定間隔を隔てて立ち上がった小円輪状部とを有し、前後に移動可能なトレイと、前記内壁面近傍の下向きの大円輪状支持用リブと、中心部に開設され前記トレイの中心軸状部が入り込む中心貫通穴部と、この中心貫通穴部の周縁から下向きに延設し前記トレイの中心軸状部と小円輪状部との間に入り込む下向きの小円輪状リブとを有する複数のディスクを載置可能なディスクテーブルとを備え、前記ディスクテーブルの大円輪状支持用リブと前記小円輪状リブとを前記トレイの底面近傍まで位置させて、前記トレイ上に前記ディスクテーブルを回転可能に支持し、前記ディスクテーブルの周縁近傍の前記大円輪状支持用リブに設けられた内向きギヤ歯部に、駆動モータの駆動で回転駆動機構を介して回転し、他方側に移動することでターンテーブルを上下移動するディスク再生機構を駆動するためのカム体の一端のギヤ部と噛み合うアイドラ歯車のギヤ歯部が一方側に移動したときに噛み合うように構成したトレイ上のディスクテーブルの回転支持構造において、前記ディスクテーブルと装置本体の上壁との間に、ディスクテーブルを下向きに押すためのスプリングが、装置本体の上壁の下面に取り付けられた状態で配設されており、この状態で、前記ディスクテーブルの周縁近傍の前記大円輪状支持用リブだけが滑性部材を介して前記トレイの底面上に回転可能に支持されていて、小円輪状リブは常に底面から浮いた状態となり、前記駆動モータの駆動で前記回転駆動機構を介して前記アイドラ歯車の回転によって前記ディスクテーブルが前記トレイの底面上の滑性部材に前記大円輪状支持用リブだけが受けられた状態で周方向に回動されるように構成されていることを特徴としている。
【００１０】
請求項２に記載の発明は、上向きに立ち上がった内壁面と、その内部の底面と、この底面の中心部分に立ち上がった中心軸状部と、この中心軸状部の周囲に所定間隔を隔てて立ち上がった小円輪状リブとを有するトレイと、前記内壁面近傍の下向きの大円輪状支持用リブと、中心部に開設され前記トレイの中心軸状部が入り込む中心貫通穴部と、この中心貫通穴部の周縁から下向きに延設した下向きの小円輪状リブとを有するディスクテーブルとを備え、前記ディスクテーブルの大円輪状支持用リブと前記小円輪状リブとを前記トレイの底面近傍まで位置させて、前記トレイ上に前記ディスクテーブルを回転可能に支持するように構成したトレイ上のディスクテーブルの回転支持構造において、前記ディスクテーブルと装置本体の上壁との間に、ディスクテーブルを下向きに押すためのスプリングが、装置本体の上壁の下面に取り付けられた状態で配設されており、この状態で、前記ディスクテーブルの周縁近傍の前記大円輪状支持用リブだけが滑性部材を介して前記トレイの底面上に回転可能に支持されていて、この大円輪状支持用リブだけが前記トレイの底面の前記滑性部材に受けられた状態で前記ディスクトレイが回転されるように構成されていることを特徴としている。
【００１１】
【発明の実施の形態】
以下、本発明に係るトレイ上のディスクテーブルの回転支持構造の実施の形態について、図を参照しつつ説明する。尚、前記した従来例における同一部材、同一箇所には同一符号を付して説明する。
図１は本発明のトレイ上のディスクテーブルの回転支持構造を示す断面図、図２は同構造を有するディスク装置の部分平面図である。
【００１２】
本実施形態のトレイ上のディスクテーブルの回転支持構造は、図１に示すように、上向きに立ち上がった円形の内壁面１ａと、その内部の底面１ｂと、この底面１ｂの中心部分に立ち上がった中心軸状部１ｃと、この中心軸状部１ｃの周囲に所定間隔を隔てて立ち上がった小円輪状部１ｄとを有し、前後に移動可能なトレイ１と、トレイ１の内壁面１ａ近傍に設けた下向きの大円輪状支持用リブ２ａと、中心部に開設されトレイ１の中心軸状部１ｃが入り込む中心貫通穴部２ｂと、この中心貫通穴部２ｂの周縁から下向きに延設しトレイ１の中心軸状部１ｃと小円輪状部１ｄとの間に入り込む下向きの小円輪状リブ２ｃとを有し、複数のディスク（図示略）を載置可能なディスクテーブル２とを備え、ディスクテーブル２２の大円輪状支持用リブ２ａと小円輪状リブ２ｃとをトレイ１の底面近傍まで位置させて、トレイ１上にディスクテーブル２を回転可能に支持するようになっている。
【００１３】
更に、図２に示すように、ディスクテーブル２の周縁近傍の大円輪状支持用リブ２ａに設けられた内向きギヤ歯部２ｄに、駆動モータ３の駆動で回転駆動機構４を介して回転し、他方側に移動することでターンテーブル（図示略）を上下移動するディスク再生機構を駆動するためのカム体５の一端のギヤ部５ａと噛み合うアイドラ歯車６のギヤ歯部６ａが一方側に移動したときに噛み合うようにしている。
回転駆動機構４は、図２に示すように、駆動モータ３と、この駆動モータ３の軸部に設けたプーリ４ｃと、アイドラ歯車６を駆動するギヤ４ｄと、このギヤ４ｄの軸部に設けられたプーリ４ｅと、両プーリ４ｃ、４ｅ間に架け渡されたベルト４ｆとから構成されている。
【００１４】
また、図１に示すように、ディスクテーブル２の周縁近傍の大円輪状支持用リブ２ａだけが滑性部材７を介してトレイ１の底面１ｂ上に回転可能に支持されていて、小円輪状リブ２ｃは常に底面１ｂから浮いた状態となり、駆動モータ３の駆動で回転駆動機構４を介してアイドラ歯車６の回転によってディスクテーブル２がトレイ１の底面１ｂ上の滑性部材７に大円輪状支持用リブ２ａだけが受けられた状態で周方向に回動されるようになっている。
尚、図１において、符号８はディスクテーブル２を下向きに押すためのスプリングであり、このスプリングは、ディスク装置の装置本体の上壁９の下面に取り付けられている。
【００１５】
したがって、本実施形態によれば、小円輪状リブ２ｃは常に底面１ｂから浮いた状態となり、ディスクテーブル２の周縁近傍の大円輪状支持用リブ２ａだけが、このディスクテーブル２をトレイ１の底面１ｂ上に滑性部材７を介して支持されているので、トレイ１上のディスクテーブル２の回転スピードのバラツキをなくして一定に保つことができ、部品のバラツキによる品質のバラツキを防止できて、品質の安定化を図ることができる。
【００１６】
【発明の効果】
以上説明したように、請求項１に記載の発明は、上向きに立ち上がった円形の内壁面と、その内部の底面と、この底面の中心部分に立ち上がった中心軸状部と、この中心軸状部の周囲に所定間隔を隔てて立ち上がった小円輪状部とを有し、前後に移動可能なトレイと、前記内壁面近傍の下向きの大円輪状支持用リブと、中心部に開設され前記トレイの中心軸状部が入り込む中心貫通穴部と、この中心貫通穴部の周縁から下向きに延設し前記トレイの中心軸状部と小円輪状部との間に入り込む下向きの小円輪状リブとを有する複数のディスクを載置可能なディスクテーブルとを備え、前記ディスクテーブルの大円輪状支持用リブと前記小円輪状リブとを前記トレイの底面近傍まで位置させて、前記トレイ上に前記ディスクテーブルを回転可能に支持し、前記ディスクテーブルの周縁近傍の前記大円輪状支持用リブに設けられた内向きギヤ歯部に、駆動モータの駆動で回転駆動機構を介して回転し、他方側に移動することでターンテーブルを上下移動するディスク再生機構を駆動するためのカム体の一端のギヤ部と噛み合うアイドラ歯車のギヤ歯部が一方側に移動したときに噛み合うように構成したトレイ上のディスクテーブルの回転支持構造において、前記ディスクテーブルと装置本体の上壁との間に、ディスクテーブルを下向きに押すためのスプリングが、装置本体の上壁の下面に取り付けられた状態で配設されており、この状態で、前記ディスクテーブルの周縁近傍の前記大円輪状支持用リブだけが滑性部材を介して前記トレイの底面上に回転可能に支持されていて、小円輪状リブは常に底面から浮いた状態となり、前記駆動モータの駆動で前記回転駆動機構を介して前記アイドラ歯車の回転によって前記ディスクテーブルが前記トレイの底面上の滑性部材に前記大円輪状支持用リブだけが受けられた状態で周方向に回動されるように構成されているので、以下に述べる効果を奏する。
【００１７】
即ち、小円輪状リブは常に底面から浮いた状態となり、ディスクテーブルの周縁近傍の大円輪状支持用リブだけが、このディスクテーブルをトレイの底面上に滑性部材を介して支持されているので、トレイ上のディスクテーブルの回転スピードのバラツキをなくして一定に保つことができ、部品のバラツキによる品質のバラツキを防止できて、品質の安定化を図ることができる。
【００１８】
請求項２に記載の発明は、上向きに立ち上がった内壁面と、その内部の底面と、この底面の中心部分に立ち上がった中心軸状部と、この中心軸状部の周囲に所定間隔を隔てて立ち上がった小円輪状リブとを有するトレイと、前記内壁面近傍の下向きの大円輪状支持用リブと、中心部に開設され前記トレイの中心軸状部が入り込む中心貫通穴部と、この中心貫通穴部の周縁から下向きに延設した下向きの小円輪状リブとを有するディスクテーブルとを備え、前記ディスクテーブルの大円輪状支持用リブと前記小円輪状リブとを前記トレイの底面近傍まで位置させて、前記トレイ上に前記ディスクテーブルを回転可能に支持するように構成したトレイ上のディスクテーブルの回転支持構造において、前記ディスクテーブルと装置本体の上壁との間に、ディスクテーブルを下向きに押すためのスプリングが、装置本体の上壁の下面に取り付けられた状態で配設されており、この状態で、前記ディスクテーブルの周縁近傍の前記大円輪状支持用リブだけが滑性部材を介して前記トレイの底面上に回転可能に支持されていて、この大円輪状支持用リブだけが前記トレイの底面の前記滑性部材に受けられた状態で前記ディスクトレイが回転されるように構成されているので、以下に述べる効果を奏する。
【００１９】
即ち、ディスクテーブルの周縁近傍の大円輪状支持用リブだけが、このディスクテーブルをトレイの底面上に滑性部材を介して支持されているので、トレイ上のディスクテーブルの回転スピードのバラツキをなくして一定に保つことができ、部品のバラツキによる品質のバラツキを防止できて、品質の安定化を図ることができる。
【図面の簡単な説明】
【図１】トレイ上のディスクテーブルの回転支持構造を示す断面図である。
【図２】同構造を有するディスク装置の部分平面図である。
【図３】従来のトレイ上のディスクテーブルの回転支持構造を示す断面図である。
【図４】従来のディスクプレーヤを示す分解斜視図である。
【図５】同ディスクプレーヤにおけるスライドテーブルをローディング状態にするための機構を示す平面図である。
【図６】同ディスクプレーヤのチャッキングの断面図である。
【図７】従来のディスク再生装置の斜視図である。
【図８】同装置の概略断面図である。
【図９】（ａ）はそのターンテーブルの下面側から見た斜視図、（ｂ）はその部分パターンである。
【図１０】従来のトレイベースの取付機構を示し、（ａ）はそのディスクプレーヤの全体を示す斜視図、（ｂ）はそのトレイベースの取付機構の部分断面図、（ｃ）はそのトレイベースの別例の部分断面図である。
【図１１】従来のディスクチェンジャーにおけるトレイ部とメカ基台の正面断面図である。
【図１２】同ディスクチェンジャーにおけるトレイロックレバー部を示し、（ａ）はその斜視図、（ｂ）はその断面図である。
【図１３】同ディスクチェンジャーにおけるトレイロックレバーの動作関係を示す平面図である。
【符号の説明】
１            トレイ
１ａ          内壁面
１ｂ          底面
１ｃ          中心軸状部
１ｄ          小円輪状部
２            ディスクテーブル
２ａ          大円輪状支持用リブ
２ｂ          中心貫通穴部
２ｃ          小円輪状リブ
２ｄ          ギヤ歯部
３            駆動モータ
４            回転駆動機構
４ｃ          プーリ
４ｄ          ギヤ
４ｅ          プーリ
４ｆ          ベルト
５            カム体
５ａ          ギヤ部
６            アイドラ歯車
６ａ          ギヤ歯部
７            滑性部材
【図１】
0003627811.tif 000002
【図２】
0003627811.tif 000003
【図３】
0003627811.tif 000004
【図４】
0003627811.tif 000005
【図５】
0003627811.tif 000006
【図６】
0003627811.tif 000007
【図７】
0003627811.tif 000008
【図８】
0003627811.tif 000009
【図９】
0003627811.tif 000010
【図１０】
0003627811.tif 000011
【図１１】
0003627811.tif 000012
【図１２】
0003627811.tif 000013
【図１３】
0003627811.tif 000014